(57)【特許請求の範囲】
【請求項１】
周波数方向および時間方向に周期的に配置されたパイロット信号を含むＯＦＤＭ信号を受信するＯＦＤＭ受信装置において、
前記ＯＦＤＭ信号を切り出し窓信号により時間領域の信号を切り出してフーリエ変換により周波数領域の信号に変換するフーリエ変換手段と、
このフーリエ変換手段の出力を復調し、復調データを得るデータ復調手段と、
前記フーリエ変換手段の出力から前記周波数方向および時間方向に周期的に配置されたパイロット信号を抽出するパイロット抽出手段と、
前記パイロット抽出手段の出力からインパルス応答を検出するインパルス応答検出手段と、
前記インパルス応答検出手段の出力からピーク位置を検出するピーク検出手段と、
前記ＯＦＤＭ信号の受信品質を検出する品質検出手段と、
前記ピーク検出手段からのピーク検出信号と前記品質検出手段からの品質検出信号を用いて折り返しの影響を排除した真の主波位置を検出するための主波サーチと、この主波サーチにて検出した主波位置を含む所定の範囲内でフーリエ変換用切り出し窓位置をステップ的に変化させてサーチを行い、品質検出信号が最良となるフーリエ変換用切り出し窓位置を確定するための切り出し窓精密サーチとを行う切り出し窓制御手段と、
を具備し、
前記切り出し窓制御手段は、前記ピーク検出手段で検出されるピーク位置を仮の主波位置とし、その主波位置に対して主波サーチ用切り出し窓の位置を、パイロット信号を用いたインパルス応答で表現可能な所定の遅延時間分、前後にずらしながら切り替えたときに得られるそれぞれの受信品質を前記仮の主波位置において得られる受信品質と比較して、受信品質が最良となる切り出し窓位置のときの前記インパルス応答のピークを真の主波位置として検出する主波サーチと、この主波サーチによる真の主波の位置を窓基準とする所定の範囲内で前記フーリエ変換用切り出し窓位置を所定の遅延量ずつ変化させながら、受信品質が最良となるフーリエ変換用切り出し窓の位置を検出する切り出し窓精密サーチとを行い、その切り出し窓精密サーチで得られる切り出し窓信号を前記フーリエ変換手段に出力することを特徴とするＯＦＤＭ受信装置。
【請求項２】
前記切り出し窓制御手段は、
前記主波サーチにおいて、
主波サーチ用切り出し窓の範囲はＯＦＤＭ信号の有効シンボル長の±１／６の範囲であり、前記仮の主波位置を０としたとき、
前記主波サーチ用切り出し窓の中心位置を０の位置にしたときに得られる品質検出信号と、
前記主波サーチ用切り出し窓の中心位置を０からＯＦＤＭ信号の有効シンボル長の＋１／３の位置にしたときに得られる品質検出信号と、
前記主波サーチ用切り出し窓の中心位置を０からＯＦＤＭ信号の有効シンボル長の−１／３の位置にしたときに得られる品質検出信号とを比較して、
前記受信品質が最良となる主波サーチ用切り出し窓のときの前記インパルス応答のピーク位置を真の主波位置として検出すると共に、
前記切り出し窓精密サーチにおいて、
この検出された真の主波位置を含むようにして、所定の範囲を有するフーリエ変換用切り出し窓の位置を所定の遅延量ずつ変化させながら、受信品質が最良となるフーリエ変換用切り出し窓の位置を検出する
ことを特徴とする請求項１に記載のＯＦＤＭ受信装置。
【請求項３】
前記切り出し窓制御手段は、
前記ピーク検出回路からのピーク検出信号と前記品質検出手段からの品質検出信号を用いて真の主波の位置を検出するための主波検出回路と、
折り返しの影響を排除した真の主波の位置を検出する主波サーチを行う一方、前記主波検出回路からの主波検出完了信号に基づいて所定の遅延時間範囲でフーリエ変換用切り出し窓位置を精密サーチしながら、受信品質が最良となるフーリエ変換用切り出し窓位置を確定する窓サーチ回路と、
前記窓サーチ回路から出力される、主波位置とのオフセットを表す窓オフセット信号と、前記主波検出回路からの主波位置を表す窓基準信号とを合わせて切り出し窓信号を生成し、前記フーリエ変換手段に出力する切り出し窓設定回路と、
を備えたことを特徴とする請求項１又は２に記載のＯＦＤＭ受信装置。
【請求項４】
前記品質検出手段は、前記受信品質として前記データ復調手段の出力から算出した受信Ｓ／Ｎを使用し、前記切り出し窓制御手段は、前記受信Ｓ／Ｎが最大となるような切り出し窓の位置をサーチすることを特徴とする請求項１乃至３のいずれか１つに記載のＯＦＤＭ受信装置。
【請求項５】
前記品質検出手段は、前記受信品質として前記インパルス応答検出手段の出力から算出した受信Ｓ／Ｎを使用し、前記切り出し窓制御手段は、前記受信Ｓ／Ｎが最大となるような切り出し窓の位置をサーチすることを特徴とする請求項１乃至３のいずれか１つに記載のＯＦＤＭ受信装置。
【発明の詳細な説明】
【技術分野】
【０００１】
本発明の実施形態は、直交周波数分割多重(ＯＦＤＭ)変調方式による伝送信号を受信するＯＦＤＭ受信装置であって、特にフーリエ変換の切り出し窓位置を設定する切り出し窓制御に関する。
【背景技術】
【０００２】
近年、音声信号および映像信号の伝送においてデジタル変調方式の開発が盛んに行われている。特に、デジタル地上放送においては、マルチパス妨害に強い、周波数利用効率が高い、等の特徴を有する直交周波数分割多重（以下、ＯＦＤＭ）変調方式が注目されている。以下、本発明に関連する従来の技術について説明する。
【０００３】
国内の地上デジタル放送では、５６１７本のサブキャリアをＯＦＤＭ変調して伝送している。受信装置ではチューナで所望のＯＦＤＭ変調信号を選局した後、Ａ／Ｄ変換回路でデジタル信号に変換してデジタル信号処理によりデータ復調を行う。このとき周波数方向および時間方向にまばらに配置されたスキャタード・パイロット信号（以下、ＳＰ信号）を利用して伝送路歪を推定し、等化処理で補正する。
【０００４】
また、ＯＦＤＭ信号は有効シンボル期間と有効シンボル期間の後端部をコピーしたガードインターバル期間とからなる。この時間領域の信号をＦＦＴ演算するときにどの範囲を切り出して演算するかを設定する方法については、周知の技術となっている。この従来の技術によれば、ＳＰ信号のインパルス応答から伝送路特性を評価してＦＦＴ窓を決定する。さらに妨害波が遅延波であるか先行波であるかを判定することによって、マルチパス妨害が有効シンボル長の１／４までの遅延時間に対応可能としている。
【０００５】
上述のように、従来のＯＦＤＭ受信装置では遅延波の遅延時間が有効シンボル長の１／４までに対応できる。しかしながら、誤り訂正技術の発展やシンボル間干渉除去技術の発達によりガードインターバル期間(以下、ガード期間)を超えるような遅延波が存在する場合でも受信できる可能性が出てきているが、従来技術では有効シンボル長の１／４を超えるような遅延波が存在するときはＦＦＴ窓を制御できない。さらに、試行錯誤的にＦＦＴ窓をサーチして制御する場合でも、有効シンボル長の１／３を超える遅延波が存在する場合は受信シンボル数に対応して用意されるＳＰシンボル数の割合が全受信シンボル中の１／３に限定されるためにＳＰ信号を用いたインパルス応答では、有効シンボル長の１／３を超える遅延波を表現できずＦＦＴ窓サーチの基準位置を求めることができない。従って、受信品質が最良となるような位置にＦＦＴ窓を制御することもできなかった。
【０００６】
そこで、有効シンボル長の１／３を超えるような遅延波が存在する場合でも受信品質が最良となるような位置にＦＦＴ窓を制御することのできるＯＦＤＭ受信装置が望まれる。
【先行技術文献】
【特許文献】
【０００７】
【特許文献１】特開２００４−１７９８１６号公報
【発明の概要】
【発明が解決しようとする課題】
【０００８】
本発明は、有効シンボル長の１／３を超えるような遅延波が存在する場合でも受信品質が最良となるような位置にＦＦＴ窓を制御することのできるＯＦＤＭ受信装置を提供することを目的とする。
【課題を解決するための手段】
【０００９】
実施形態のＯＦＤＭ受信装置は、周波数方向および時間方向に周期的に配置されたパイロット信号を含むＯＦＤＭ信号を受信するＯＦＤＭ受信装置において、
前記ＯＦＤＭ信号を切り出し窓信号により時間領域の信号を切り出してフーリエ変換により周波数領域の信号に変換するフーリエ変換手段と、
このフーリエ変換手段の出力を復調し、復調データを得るデータ復調手段と、
前記フーリエ変換手段の出力から前記周波数方向および時間方向に周期的に配置されたパイロット信号を抽出するパイロット抽出手段と、
前記パイロット抽出手段の出力からインパルス応答を検出するインパルス応答検出手段と、
前記インパルス応答検出手段の出力からピーク位置を検出するピーク検出手段と、
前記ＯＦＤＭ信号の受信品質を検出する品質検出手段と、
前記ピーク検出手段からのピーク検出信号と前記品質検出手段からの品質検出信号を用いて折り返しの影響を排除した真の主波位置を検出するための主波サーチと、この主波サーチにて検出した主波位置を含む所定の範囲内でフーリエ変換用切り出し窓位置をステップ的に変化させてサーチを行い、品質検出信号が最良となるフーリエ変換用切り出し窓位置を確定するための切り出し窓精密サーチとを行う切り出し窓制御手段と、
を具備し、
前記切り出し窓制御手段は、前記ピーク検出手段で検出されるピーク位置を仮の主波位置とし、その主波位置に対して主波サーチ用切り出し窓の位置を、パイロット信号を用いたインパルス応答で表現可能な所定の遅延時間分、前後にずらしながら切り替えたときに得られるそれぞれの受信品質を前記仮の主波位置において得られる受信品質と比較して、受信品質が最良となる切り出し窓位置のときの前記インパルス応答のピークを真の主波位置として検出する主波サーチと、この主波サーチによる真の主波の位置を窓基準とする所定の範囲内で前記フーリエ変換用切り出し窓位置を所定の遅延量ずつ変化させながら、受信品質が最良となるフーリエ変換用切り出し窓の位置を検出する切り出し窓精密サーチとを行い、その切り出し窓精密サーチで得られる切り出し窓信号を前記フーリエ変換手段に出力する。
【図面の簡単な説明】
【００１０】
【図１】本発明の第１の実施形態のＯＦＤＭ受信装置を示すブロック図。
【図２】主波及び遅延波と、ＳＰ信号を用いたインパルス応答を示す図。
【図３】本発明の実施形態におけるＦＦＴ窓制御回路を示すブロック図。
【図４】本発明の実施形態に係わるインパルス応答検出の説明図。
【図５】本発明の実施形態に係わるＯＦＤＭ方式におけるＳＰキャリアの配置を説明する図。
【図６】本発明の第１の実施形態に係わる動作を説明するフローチャート。
【図７】本発明の第２の実施形態のＯＦＤＭ受信装置を示すブロック図。
【図８】本発明の第３の実施形態のＯＦＤＭ受信装置を示すブロック図。
【図９】本発明の第３の実施形態に係わる動作を説明するフローチャート。
【発明を実施するための形態】
【００１１】
以下、本発明の実施の形態について図面を参照して詳細に説明する。  
［第１の実施形態］
図１は本発明の第１の実施形態に係るＯＦＤＭ受信装置の構成を示すブロック図である。  図１において、ＯＦＤＭ受信装置１００は、ＯＦＤＭ変調信号の入力端子１０１と、チューナ１０２と、Ａ／Ｄ変換回路１０３と、直交検波回路１０４と、フーリエ変換手段であるＦＦＴ回路１０５と、データ復調手段である復調回路１０６と、復調信号の出力端子１０７と、パイロット抽出手段としてのＳＰ抽出回路１０８と、インパルス応答検出手段であるインパルス応答検出回路１０９と、ピーク検出手段であるピーク検出回路１１０と、ＦＦＴ窓制御回路１１１と、受信品質検出手段としてのＳ／Ｎ検出回路１１２と、を備えている。
【００１２】
ＯＦＤＭ受信装置１００は、周波数方向および時間方向に周期的に配置されたパイロット信号であるＳＰ信号を含むＯＦＤＭ信号を受信する受信装置である。  
ＦＦＴ回路１０５は、ＯＦＤＭ信号を切り出し窓信号であるＦＦＴ窓信号により時間領域の信号を切り出してフーリエ変換により周波数領域の信号に変換する。  
ＳＰ抽出回路１０８は、ＦＦＴ回路１０５の出力から周波数方向および時間方向に周期的に配置されたＳＰ信号を抽出する。
【００１３】
復調回路１０６は、ＦＦＴ回路１０５の出力をＳＰ信号に基づいて復調処理し、復調データを出力端子１０７に出力する。
インパルス応答検出回路１０９は、ＳＰ抽出回路１０８で抽出したＳＰ信号を逆フーリエ変換してインパルス応答を検出する。
ピーク検出回路１１０は、インパルス応答検出回路からのインパルス応答のピーク位置を検出し、ピーク検出信号(これは折り返しの影響を考慮したものではないので仮の主波位置を示す信号として扱う)としてＦＦＴ窓制御回路１１１に出力する。
【００１４】
Ｓ／Ｎ検出回路１１２は、復調回路１０６からの復調データから受信Ｓ／Ｎを検出し、品質検出信号としてのＳ／Ｎ信号としてＦＦＴ窓制御回路１１１に出力する。  
ＦＦＴ窓制御回路１１１は、ピーク検出信号(仮の主波位置を示す信号)とＳ／Ｎ信号を用いて折り返しの影響を排除した真の主波位置を検出するための主波サーチと、この主波サーチにて検出した主波位置を含む所定の範囲内でＦＦＴ窓位置をステップ的に変化させてサーチを行い、Ｓ／Ｎ信号が最良となるＦＦＴ窓位置を確定するためのＦＦＴ窓精密サーチとを行う。
【００１５】
以下、図１を参照しながら動作を説明する。  
入力端子１０１には図示しないアンテナからＯＦＤＭ変調信号が供給され、チューナ１０２で所望のＯＦＤＭ変調信号のみが選局される。チューナ１０２の出力はＡ／Ｄ変換回路１０３でデジタル信号に変換されて直交検波回路１０４に供給される。直交検波回路１０４で直交検波されてベースバンドの同相検波軸信号(Ｉ信号)と直交検波軸信号(Ｑ信号)に変換された信号がＦＦＴ回路１０５に入力される。ＦＦＴ回路１０５は入力されたＯＦＤＭ変調信号のうちＦＦＴ窓制御回路１１１からのＦＦＴ窓信号によって切り出された信号に対してＦＦＴ演算を行う。ＦＦＴ回路１０５の出力は分岐され、一方は復調回路１０６でＳＰ信号に基づいて復調処理されて出力端子１０７から復調データ出力として出力される。
【００１６】
ＦＦＴ回路１０５からのもう一方はＳＰ抽出回路１０８に供給される。ＳＰ抽出回路１０８では、図５に示すように周波数方向および時間方向にまばらに配置されたＳＰ信号を抽出する。インパルス応答検出回路１０９では、抽出された周波数領域のＳＰ信号を入力し、逆フーリエ変換演算を施して時間領域のインパルス応答を検出する。インパルス応答検出結果はピーク検出回路１１０に供給され、インパルス応答のピーク位置が検出される。検出されたピーク位置はピーク検出信号としてＦＦＴ窓制御回路１１１に供給される。
【００１７】
また、復調回路１０６の出力はＳ／Ｎ検出回路１１２に供給され、復調データのコンスタレーションから受信Ｓ／Ｎが検出されてＦＦＴ窓制御回路１１１に供給される。
【００１８】
ＦＦＴ窓制御回路１１１は、先ず、ＦＦＴ窓を仮の主波位置を含む複数の窓基準位置を切り替えながらＳ／Ｎ信号を検出することによって折り返しの影響を排除した真の主波の位置を求めるための主波サーチを行い、その後に、求めた真の主波位置の所定の範囲内でＦＦＴ窓をステップ的に変化させながらＦＦＴ窓精密サーチを行い、Ｓ／Ｎ信号が最良となるＦＦＴ窓位置を検出し、ＦＦＴ窓信号を確定させる。
【００１９】
図２は、(a)主波及び遅延波と、(b)ＳＰ信号を用いたインパルス応答を示している。なお、遅延波は直接波である主波に対して遅延時間τを有している。図２の(a)で、主波に対して遅延波の幅を狭くして描いているのは、遅延波は主波と比較して電力が小さいことを表している。１シンボルは、有効シンボル期間と、その有効シンボル期間の後端部分をコピーして有効シンボル期間の前端に接続したガード期間とで構成されている。図２の(b)は、主波及び遅延波それぞれの有効シンボル期間の先頭に対応させたインパルス応答の出力(言い換えれば、遅延プロファイル出力)を時間軸上に表したものである。
【００２０】
図５に示したようにＯＦＤＭシンボルのフォーマットは、送信側から送られてくる状態ではＳＰキャリアが周波数方向に１２本のキャリアにつき１本の割合で挿入されており、これを受信機側で時間方向の４本のキャリアにつき１本挿入されているＳＰキャリアに対して時間方向にＳＰキャリアの補間を行うことによって、ＳＰキャリアが周波数方向に３本のキャリアにつき１本の割合で挿入されることになる。従って、このような補間によって３本に１本の割合で挿入されたＳＰ信号を用いると、有効シンボル長に対してその１／３長に相当する遅延時間を有する遅延波までは、インパルス応答の出力を時間軸上に表現することができる。言い換えれば、１回のインパルス応答で有効シンボル長の１／３(＝±１／６)の範囲しか表現することができない。
【００２１】
図４は本実施形態に係わるインパルス応答検出を説明する図である。  
ピーク検出回路１１０で検出されるピーク位置(仮の主波位置)を時間軸の基準０としたとき、１回のインパルス応答で基準０の位置に図示のように１本のインパルス応答ピークがある場合はそれが主波であると言い得るが、インパルス応答の出力としては有効シンボル長に対してその１／３長に相当する時間範囲しか表現できないので、時間軸上で０の位置を中心として±１／３離れた位置に図示のように遅延信号又は先行信号が存在しているかもしれない。
【００２２】
結果として、例えば、時間軸上で基準０の位置から有効シンボル長の＋１／３だけ離れた位置の遅延信号が＋１／６の位置で折り返して０の位置に見えているかもしれない。或いは、基準０の位置から有効シンボル長の−１／３だけ離れた位置の先行信号が−１／６の位置で折り返して０の位置に見えているかもしれない。このように、実施形態では、±１／６で折り返されることが分かっているので、原理的にＦＦＴ窓を０の位置(０の位置を中心とする±１／６の範囲)にしたときと、＋１／３の位置(＋１／３の位置を中心とする±１／６の範囲)にしたときと、−１／３の位置(−１／３の位置を中心とする±１／６の範囲)にしたときというようにＦＦＴ窓位置を順次切り替えてＦＦＴを行ってみて、そのときの受信品質(例えば受信Ｓ／Ｎ)が最もよい時が主波の位置であるとして、まず真の主波を見つけることを行い、その後にその主波位置を含む所定の範囲(この範囲は図示のインパルス応答検出範囲より狭い範囲でもよい)のＦＦＴ窓位置を所定の遅延量ずつ変化させながらＦＦＴ窓位置の精密サーチをして、受信品質(例えば受信Ｓ／Ｎ)が最もよいＦＦＴ窓位置を検出(確定)する処理を行うようにする。
【００２３】
図３は本発明の実施形態に係るＦＦＴ窓制御回路１１１の構成を示している。  
図３において、ＦＦＴ窓制御回路１１１は、主波検出回路２０１と、窓サーチ回路２０２と、ＦＦＴ窓設定回路２０３と、を備えている。
【００２４】
主波検出回路２０１は、ピーク検出回路１１０のからのピーク検出信号とＳ／Ｎ検出回路１１２からのＳ／Ｎ信号を用いて真の主波の位置を検出するための回路である。窓サーチ回路２０２は、折り返しの影響を考慮した真の主波の位置を検出する主波サーチを行う一方、主波検出回路２０１からの主波位置検出信号(主波検出完了フラグ)に基づいて所定の遅延時間範囲でＦＦＴ窓信号を精密サーチしながら、受信品質が最良となるＦＦＴ窓信号を選択する。ＦＦＴ窓設定回路２０３は、窓サーチ回路２０２から出力される、主波位置とのオフセットを表す窓オフセット信号と主波検出回路２０１からの主波位置を表す窓基準信号を合わせてＦＦＴ窓信号を生成し、ＦＦＴ回路１０５に供給する。
【００２５】
以下、図３を参照しながら動作を説明する。  
主波検出回路２０１にはピーク検出回路１１０からのピーク検出信号とＳ／Ｎ検出回路１１２からのＳ／Ｎ信号が供給される。図５に示す送信時のＳＰキャリア配置に対して受信機で実行される時間方向のＳＰキャリア補間によって、ＳＰ信号は周波数方向に３キャリア間隔で配置されているので、ＳＰ信号を用いたインパルス応答は有効シンボル長の１／３即ち±１／６までの時間しか表現できない。そこで、主波検出回路２０１は、図４に示すようにＦＦＴ窓位置を有効シンボル長の±１／３ずらした時に得られるＳ／Ｎ信号と時間長で０の位置の時に得られるＳ／Ｎ信号とを比較してＳ／Ｎ信号が最良となるＦＦＴ窓位置のときのピークを真の主波と判定する。主波検出回路２０１は、真の主波位置をＦＦＴ窓設定回路２０３に供給し、主波検出完了フラグを窓サーチ回路２０２に供給する。窓サーチ回路２０２は、主波が検出された後、真の主波の位置を窓基準として所定の範囲でＦＦＴ窓信号を時間軸上でステップ的に変化させながら、Ｓ／Ｎ信号が最良となるＦＦＴ窓信号を検出するように動作する。そして、ＦＦＴ窓設定回路２０３は、窓サーチ回路２０２から出力される主波位置に対する窓オフセット信号と主波検出回路２０１からの窓基準信号をＦＦＴ窓設定回路２０３で合わせてＦＦＴ窓信号を生成し、ＦＦＴ回路１０５に供給する。
【００２６】
図６は本発明の第１の実施形態に係わる動作を説明するフローチャートである。図６を参照しながら、ＦＦＴ窓位置を設定する動作について説明する。  
先ず、ＯＦＤＭ信号に含まれているＳＰ信号を抽出し(ステップＳ1)、抽出されたＳＰ信号に基づいてインパルス応答を検出する(ステップＳ2)。インパルス応答は伝送路応答若しくは遅延プロファイルと同義である。次のステップＳ3では、インパルス応答検出結果のうちの最も大きいピークを主波として検出し、これを主波候補(仮の主波)としてステップＳ4のＦＦＴ窓基準制御モード(主波サーチ)に入る。
【００２７】
ステップＳ4〜Ｓ7では、ステップＳ3で検出した主波位置(例えば０)としてインパルス応答検出範囲(1)にＦＦＴ窓を設定してＳ／Ｎ検出を行い(ステップＳ5)、その後にステップＳ6，Ｓ7と順次各ステップを実行する。例えば、主波位置０の次には主波位置(−１／３)としてインパルス応答検出範囲(2)にＦＦＴ窓を設定してＳ／Ｎ検出を行い、その後には主波位置(＋１／３)としてインパルス応答検出範囲(3)にＦＦＴ窓を設定してＳ／Ｎ検出を行う(ステップＳ6，Ｓ7)。インパルス応答検出範囲(1)〜(3)の全てのサーチが済むと、サーチ結果としてＳ／Ｎが最大となるＦＦＴ窓をＦＦＴ窓基準として次のＦＦＴ窓精密サーチに移行する(ステップＳ8)。
【００２８】
ＦＦＴ窓精密サーチでは、先ず、前段の主波サーチで検出された真の主波位置(０，−１／３，＋１／３のうちの何れか１つ)が含まれるようにして所定の範囲(例えばインパルス応答検出範囲(1)〜(3)のいずれかの範囲でもよいが、それよりも狭い範囲でもよい)のＦＦＴ窓を前後にステップ的に変化させる(ステップＳ9)ことによって、Ｓ／Ｎ検出を行う(ステップＳ10)。そして、この所定範囲(時間幅)のＦＦＴ窓を前後にステップ的に変化させた全精密ステップについてＳ／Ｎ検出を行い(ステップＳ11)、その後に全ての精密ステップで検出されたＳ／Ｎのうちで最大となるＳ／ＮのＦＦＴ窓位置を最終的に選択し確定する(ステップＳ12)。
【００２９】
第１の実施形態によれば、有効シンボル長の１／３を超えるような遅延波が存在する場合でも受信品質が最良となるような位置にＦＦＴ窓を制御することができる。
【００３０】
［第２の実施形態］
図７は本発明の第２の実施形態に係わるＯＦＤＭ受信装置を示している。  
図７において、ＯＦＤＭ受信装置１００Ａは、ＯＦＤＭ変調信号の入力端子１０１と、チューナ１０２と、Ａ／Ｄ変換回路１０３と、直交検波回路１０４と、ＦＦＴ回路１０５と、復調回路１０６と、復調信号の出力端子１０７と、ＳＰ抽出回路１０８と、インパルス応答検出回路１０９Ａと、ピーク検出回路１１０と、ＦＦＴ窓制御回路１１１と、Ｓ／Ｎ検出回路１１２Ａと、を備えている。
【００３１】
第１の実施形態と構成上で異なる点は、インパルス応答検出回路１０９Ａ及びＳ／Ｎ検出回路１１２Ａである。第１の実施形態での復調回路１０６の出力に基づいてＳ／Ｎ検出を行う構成に代えて、本第２の実施形態ではインパルス応答検出回路１０９Ａの出力に基づいてＳ／Ｎ検出を行う構成としたものである。なお、図１と同様の構成要素には同一の符号を付して説明を省略する。
【００３２】
インパルス応答検出回路１０９Ａはインパルス応答検出結果をピーク検出回路１１０に供給するとともにＳ／Ｎ検出回路１１２Ａにも供給する。Ｓ／Ｎ検出回路１１２Ａではインパルス応答検出出力から所定のしきい値以下のレベルの信号の電力を計算する。Ｓ／Ｎが悪いときはこの値が大きくなるので、例えばこの値の逆数を求めてＳ／Ｎ信号として使用することができる。
【００３３】
第２の実施形態によれば、Ｓ／Ｎ信号検出において、復調データを使用しないので復調する前にＦＦＴ窓制御ができ、応答性に優れる利点がある。
【００３４】
［第３の実施形態］
図８は本発明の第３の実施形態に係わるＯＦＤＭ受信装置を示すブロック図である。
図８において、ＯＦＤＭ受信装置１００Ｂは、ＯＦＤＭ変調信号の入力端子１０１と、チューナ１０２と、Ａ／Ｄ変換回路１０３と、直交検波回路１０４と、ＦＦＴ回路１０５Ａと、復調回路１０６Ａと、復調信号の出力端子１０７と、ＦＦＴ回路１０５と、復調回路１０６と、ＳＰ抽出回路１０８と、インパルス応答検出回路１０９と、ピーク検出回路１１０と、ＦＦＴ窓制御回路１１１と、Ｓ／Ｎ検出回路１１２Ａと、を備えている。
【００３５】
第１及び第２の実施形態では、本線系の一部であるＦＦＴ回路及び復調回路を共用してＦＦＴ窓制御を行う構成を説明したが、ＦＦＴ回路以降を２つ持って本線系のデータ復調と並列にＦＦＴ窓制御を処理するように構成してもよい。 
第１及び第２の実施形態と構成上で異なる点は、本線系のＦＦＴ回路１０５Ａ及び復調回路１０６Ａを別に設けた構成としたものである。ＦＦＴ回路１０５Ａ及び復調回路１０６Ａはそれぞれ、ＦＦＴ窓制御の処理系におけるＦＦＴ回路１０５及び復調回路１０６と全く同じ回路であってもよい。
【００３６】
図９は本発明の第３の実施形態に係わる動作を説明するフローチャートである。  
図６に示した第２の実施形態のフローチャートと異なる点は、ステップＳ12の確定したＦＦＴ窓位置をステップＳ1にリターンしてＦＦＴ窓サーチを繰り返し連続して動作させることと、ステップＳ12の確定したＦＦＴ窓信号を本線系のＦＦＴ回路１０５Ａに出力させる点である。その他のステップは図６と同様であるので説明を省略する。
【００３７】
第３の実施形態によれば、本線系のデータ復調と並列にＦＦＴ窓制御の処理系を設けて、並列に処理させることにより、ＦＦＴ窓サーチを繰り返し連続して動作させることができるので伝送路の状況が変化する場合に、それに追従することができる。
【００３８】
以上述べたように本発明によれば、有効シンボル長の１／３を超えるような遅延波が存在する場合でも受信品質が最良となるようにＦＦＴ窓を制御することが可能となる。
【００３９】
尚、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４０】
１００，１００Ａ，１００Ｂ…ＯＦＤＭ受信装置、１０２…チューナ、１０３…Ａ／Ｄ変換回路、１０４…直交検波回路、１０５…ＦＦＴ回路(フーリエ変換手段)、１０６…復調回路(データ復調手段)、１０８…ＳＰ抽出回路(パイロット抽出手段)、１０９…インパルス応答検出回路(インパルス応答検出手段)、１１０…ピーク検出回路(ピーク検出手段)、１１１…ＦＦＴ窓制御回路(切り出し窓制御手段)、１１２…Ｓ／Ｎ検出回路(品質検出手段)。
【図１】
0005275304.tif 000002
【図２】
0005275304.tif 000003
【図３】
0005275304.tif 000004
【図４】
0005275304.tif 000005
【図５】
0005275304.tif 000006
【図６】
0005275304.tif 000007
【図７】
0005275304.tif 000008
【図８】
0005275304.tif 000009
【図９】
0005275304.tif 000010